(57)【要約】【課題】過酷な環境下においても水や塵埃等の異物が本体の内部空間に侵入することのない警報器を提供すること。【解決手段】警報器本体１０の内部空間と外部空間の間で通気する通気孔１６が形成され、警報器本体１０に備えた警報器側コネクタ１８と車両側コネクタ４０を連結することで電気的に接続される警報器１００であって、警報器側コネクタ１８は、車両側コネクタ４０が開口部１８Ａより挿入される袋状のコネクタハウジング１８Ｂを有し、コネクタハウジング１８Ｂ内に車両側コネクタ４０を挿入することにより、コネクタハウジング１８Ｂ内に通気孔１６と開口部１８Ａとを連通させる通気路５０が形成され、通気路５０は、コネクタハウジング１８Ｂに穿孔された外部連通孔１８Ｄにより通気路５０の途中で外部空間に連通していることを特徴とする。【選択図】図３
2020181110.tif 000002
【特許請求の範囲】
【請求項１】
警報器本体の内部空間と外部空間の間で通気する通気孔が形成され、前記警報器本体に備えた警報器側コネクタと車両側コネクタを連結することで電気的に接続される警報器であって、
前記警報器側コネクタは、前記車両側コネクタが開口部より挿入される袋状のコネクタハウジングを有し、
前記コネクタハウジング内に前記車両側コネクタを挿入することにより、前記コネクタハウジング内に前記通気孔と前記開口部を連通させる通気路が形成され、
前記通気路は、前記コネクタハウジングに穿孔された外部連通孔により前記通気路の途中で前記外部空間と連通していることを特徴とする警報器。
【請求項２】
前記コネクタハウジングには、前記コネクタハウジングに挿入された前記車両側コネクタの挿入側先端部との間に離間部が形成されていて、
前記外部連通孔は、前記離間部の位置に穿孔されていることを特徴とする請求項１記載の警報器。
【請求項３】
前記外部連通孔は、前記警報器側コネクタの側面に形成されていることを特徴とする請求項１または２記載の警報器。
【請求項４】
前記コネクタハウジングの前記開口部には、前記車両側コネクタの挿入方向に延設された切欠部を有していることを特徴とする請求項１〜３のうちのいずれか一項に記載の警報器。
【請求項５】
前記切欠部は前記通気路の直上位置に形成されていることを特徴とする請求項４記載の警報器。
【請求項６】
前記警報器側コネクタと前記車両側コネクタは、連結方向に直交する方向における断面形状が凹凸のない矩形断面形状に形成されていることを特徴とする請求項１〜５のうちのいずれか一項に記載の警報器。
【発明の詳細な説明】
【技術分野】
【０００１】
本発明は警報器に関し、より詳細には電気式の警報器に関する。
【背景技術】
【０００２】
周囲に対して注意喚起を促すために用いられる車両用保安部品の一つに電気式の警報器がある。従来、このような警報器においては、大雨等の荒天時においても警報器を確実に動作させるための構成が提案されている。警報器の確実な動作を実現させるためには、警報器本体の内部空間への水や塵埃等に代表される異物の侵入を防止することが重要である。
【０００３】
しかしながら電気式の警報器はその構造上、警報器本体の内部空間を密閉することができない。このため出願人は特許文献１（実公平７−３４４７７号公報）に開示されているような構成を採用することにより、電気式の警報器における警報器本体の内部空間への異物の侵入防止を低コストで実現している。
【先行技術文献】
【特許文献】
【０００４】
【特許文献１】実公平７−３４４７７号公報
【発明の概要】
【発明が解決しようとする課題】
【０００５】
近年の車両は小型化が進み、ボンネット内に警報器の設置場所を確保することが困難になってきており、警報器を地表面（走行面）に対して直交させた状態ではなく、地表面に対して傾斜させた状態で取り付けなければならないことがある。このように地表面に対して傾斜させた状態で車両に取り付けられた警報器においては、特許文献１で開示されているような構成であっても風による巻き込み等により警報器本体の内部空間への異物の侵入が生じ、より確実な異物侵入防止対策の提案が望まれている。
【課題を解決するための手段】
【０００６】
そこで本発明は上記課題を解決すべくなされたものであり、その目的とするところは次のとおりである。すなわち、天候に代表される外部環境や車両等への取り付け状態の如何にかかわらず、警報器本体の内部空間への異物侵入を確実に防止し、警報器を確実に動作させることを可能にした警報器の構成を提供することにある。
【０００７】
発明者が上記警報器の構成を実現すべく鋭意研究した結果、以下の構成に想到した。すなわち本発明は、警報器本体の内部空間と外部空間の間で通気する通気孔が形成され、前記警報器本体に備えた警報器側コネクタと車両側コネクタを連結することで電気的に接続される警報器であって、前記警報器側コネクタは、前記車両側コネクタが開口部より挿入される袋状のコネクタハウジングを有し、前記コネクタハウジング内に前記車両側コネクタを挿入することにより、前記コネクタハウジング内に前記通気孔と前記開口部を連通させる通気路が形成され、前記通気路は、前記コネクタハウジングに穿孔された外部連通孔により前記通気路の途中で前記外部空間と連通していることを特徴とする。
【０００８】
これにより、大雨等の荒天時や警報器を傾斜させた状態で車両等に取り付けした状態等により、警報器本体の内部空間と外部空間とを連通する通気路の一部が浸水したとしても、通気路の中途位置に設けられた外部連通孔により通気路がストローのような管路状態になることを防ぐことができる。これにより警報器本体の内部空間における振動板の振動により生じる吸引力で外部空間からの空気は取り込めるが、水や砂等の異物の取り込みができないようにすることができる。よって、外部環境や車両等への取り付け状態にかかわらず確実に警報器を動作させることが可能になる。
【０００９】
また、前記コネクタハウジングと前記コネクタハウジングに挿入された前記車両側コネクタの挿入側先端部との間には離間部が形成されていて、前記外部連通孔は、前記離間部の位置に穿孔されていることが好ましい。
【００１０】
また、前記外部連通孔は、前記警報器側コネクタの側面に形成されていることが好ましい。
【００１１】
これらにより、追加部品を用いることなく、しかも簡単な造作のみで警報器本体の内部空間への水や異物侵入をより確実に防止することができ、開口部および外部連通孔を通じて水や異物を排出させることができる。
【００１２】
また、前記コネクタハウジングの前記開口部には、前記車両側コネクタの挿入方向に延設された切欠部を有していることが好ましい。さらには、前記切欠部は前記通気路の直上位置に形成されていることが好ましい。
【００１３】
これらにより、警報器側コネクタと車両側コネクタとの接触面積を減らすことができ、表面張力による通気路への水の侵入をより確実に防止することができる。また、万が一通気路に水や異物が侵入した場合であっても、開口部から排出させやすくすることができる。
【００１４】
また、前記警報器側コネクタと前記車両側コネクタは、連結方向に直交する方向における断面形状が凹凸のない矩形断面形状に形成されていることが好ましい。
【００１５】
これにより、警報器側コネクタと車両側コネクタとを連結させた際における互いの接触面積を最小限にすることができる。よって、警報器側コネクタと車両側コネクタとの間に水が侵入しても表面張力が小さくなるので重力の作用により侵入した水を外部空間に排出することができる。
【発明の効果】
【００１６】
本発明における警報器の構成を採用することにより、ストローのような管路状に形成された通気路の中途位置に外部空間と通気路の内部を連通させた状態にすることができる。このため、警報器本体の内部空間に収容された振動板が振動することにより生じる減圧による吸引力では、警報器本体の内部空間には外部空間から吸引した空気を取り込むことはできるが、水や砂等の異物は吸引されないようにすることができる。すなわち警報器本体の内部空間への異物の侵入を確実に防止することが可能になり、外部環境や車両等への取り付け状態の如何にかかわらず警報器を確実に動作させることができる。
【図面の簡単な説明】
【００１７】
【図１】本実施形態における警報器の正面図である。
【図２】本実施形態における警報器の背面図である。
【図３】警報器側コネクタに車両側コネクタを挿入した状態を示す拡大説明図である。
【図４】警報器側コネクタの説明図である。
【発明を実施するための形態】
【００１８】
以下、本発明における警報器の実施形態について図面に基づいて説明する。本実施形態における警報器１００は、図１および図２に示すように、警報器本体１０の正面側に渦巻き状の音道１２と音道に連通する放音部１４を有し、警報器本体１０の背面側には通気孔１６と警報器側コネクタ１８が形成されている。警報器１００は、警報器本体１０の内部空間に収容された図示しない接点、電磁石、シャフト、振動板を有し、車両側コネクタ４０を警報器側コネクタ１８に挿入（連結）させることで図示しないバッテリから供給された電力が接点を介して電磁石に供給される。
【００１９】
電磁石に電力が供給されると振動板が取り付けられたシャフトが電磁石に接離動し、警報器本体１０の内部空間で警報音が生成され音道１２を通じて放音部１４から外部空間に警報音が放出される。このような電気式の警報器１００の基本構成は公知であるため、各部構成についての詳細な説明は省略する。本実施形態における警報器本体１０の背面側には、板金等の公知の手法により形成された車両取付用ブラケット２０が取り付けられている。
【００２０】
図２，図３に示すように、通気孔１６は、警報器本体１０の内部空間と外部空間との間で通気させるためのものであり、警報器本体１０の背面側に穿孔されている。警報器本体１０の内部空間に収容されている接点に電気的に接続された通電端子３０の一部はこの通気孔１６の位置で警報器本体１０の背面側からその一部を露出させている。警報器側コネクタ１８は、通気孔１６の位置で外部空間に露出している通電端子３０をカバーするようにして形成されている。本実施形態における通電端子３０は、リベット３２と平板端子３４により形成されている。リベット３２は警報器本体１０の内部空間に収容された図示しない接点端子に電気的に接続されていると共に平板端子３４に形成されたリベット挿通孔３３に挿通されている。警報器本体１０の組み立て時には警報器側コネクタ１８から外部に露出しているリベット３２の頭部が加締められる。平板端子３４は警報器本体１０の背面にほぼ平行に地表面側に向かって延設されている。
【００２１】
図２〜図４に示すように、警報器側コネクタ１８は、地表面側（下面側）に開口部１８Ａが形成された袋状をなし、車両側コネクタ４０が挿入可能なコネクタハウジング１８Ｂを有している。本実施形態においては、コネクタハウジング１８Ｂの開口部１８Ａに車両側コネクタ４０の挿入方向に切欠部１８Ｃを延設している。
【００２２】
また、コネクタハウジング１８Ｂの側面には、外部空間とコネクタハウジング１８Ｂの内部とを連通する外部連通孔１８Ｄが穿孔されている。なお、外部連通孔１８Ｄは、図２〜図４に示すように、車両取付用ブラケット２０の側における側面に設けることが好ましい。これにより外部連通孔１８Ｄからの水の侵入確率を下げることができる点において好都合である。
【００２３】
さらには、コネクタハウジング１８Ｂの奥側（通電端子３０の側の）位置に車両側コネクタ４０の挿入側先端部４２を位置決めするための挿入規制部１８Ｅを設けることもできる。本実施形態においては挿入規制部１８Ｅとしてコネクタハウジング１８Ｂ内に突条を形成したが、この形態に限定されるものではない。なお、挿入規制部１８Ｅはコネクタハウジング１８Ｂの奥側位置ではなく他の位置に設けることもできる。さらにまた、車両側コネクタ４０側に挿入規制部を形成することもできる。
【００２４】
車両側コネクタ４０は、図３に示すように車両側コネクタ４０の開口部１８Ａからコネクタハウジング１８Ｂに挿入可能な扁平な直方体形状に形成されている。車両側コネクタ４０の挿入側先端部４２には平板端子３４を挟み込み可能なバネ状電極４４が埋設されている。そして車両側コネクタ４０の外表面の一部（ここでは警報器１００の背面側の面）には、図３に示すように挿入方向に通気路形成用凹部４６を延設してもよい。通気路形成用凹部４６の挿入側先端部は、後述するハウジング内空間１９に連通している。これにより、警報器側コネクタ１８と車両側コネクタ４０とにより警報器本体１０の内部空間（通気孔１６）と外部空間（開口部１８Ａ）とを通気させると共に水や塵埃等の異物の侵入を防止するための通気路５０が形成されやすくなる点において好都合である。
【００２５】
本実施形態においては、コネクタハウジング１８Ｂに挿入規制部１８Ｅを設けているので、車両側コネクタ４０の挿入側先端部４２は挿入規制部１８Ｅの位置で挿入量が規制されることになる。これにより挿入側先端部４２はコネクタハウジング１８Ｂの内壁面とは密着せず、コネクタハウジング１８Ｂの内壁面との間に離間部としてのハウジング内空間１９が形成される。このハウジング内空間１９は、通気孔１６と外部連通孔１８Ｄに直接連通している。
【００２６】
コネクタハウジング１８Ｂの挿入規制部１８Ｅまで車両側コネクタ４０が挿入されると、挿入側先端部４２に埋設されているバネ状電極４４が平板端子３４を挟み込み、警報器１００と車両側コネクタ４０（車両に搭載したバッテリ）との電気的な接続がなされる。これと同時にコネクタハウジング１８Ｂと車両側コネクタ４０とによってハウジング内空間１９に連通する通気路５０が形成される。外部空間の空気は、通気路５０の外部空間側端部である開口部１８Ａから通気路５０に取り込まれ、ハウジング内空間１９と通気孔１６を経由して警報器本体１０の内部空間に取り込まれることになる。このような警報器本体１０の内部空間への空気の取り込みは、警報器本体１０の内部空間で振動板が振動することにより生じる減圧による吸引作用によりなされている。
【００２７】
先に説明したように本実施形態においては、ハウジング内空間１９の位置に位置合わせして外部連通孔１８Ｄが設けられているので、通気路５０の始端部である開口部１８Ａと終端部である通気孔１６との間における通気路５０のストロー状の管路状態（気密状態）が崩壊することになる。すなわち、通気路５０は延長方向の途中で穴が開いたストローのような状態になるため、開口部１８Ａから通気路５０に侵入した砂や塵埃に代表される重量物の異物は、通気孔１６からの吸引力では吸引されずに通気路５０の開口部１８Ａの周辺位置で留まることになる。これに対して外部空間の空気は軽量物であるため、通気孔１６からの吸引力により通気路５０の開口部１８Ａおよび外部連通孔１８Ｄからハウジング内空間１９に吸引されて通気孔１６から警報器本体１０の内部空間へ供給されることになる。
【００２８】
また、先に説明した切欠部１８Ｃは、通気路形成用凹部４６の直上位置において車両側コネクタ４０の挿入方向に延設されている。これにより通気路５０を形成する警報器側コネクタ１８と車両側コネクタ４０との接触面積を削減することができる。すなわち、通気路５０の開口部１８Ａ側から水が侵入してしまった場合であっても、通気路５０内における表面張力による水の吸い上げ現象（毛細管現象）の発生をより確実に防止することができ、荒天時であっても確実に警報器１００を動作させることが可能になる。
【００２９】
このように本実施形態における警報器１００の構成によれば、警報器本体１０の内部空間と外部空間との通気は通気孔１６と通気路５０により確保することができる。警報器１００が動作することにより、警報器本体１０の内部空間および通気路５０は外部空間よりも減圧状態になり、外部空間から空気だけでなく異物も吸引しようとするが、外部連通孔１８Ｄにより水や塵埃等の重量物については吸引できないようにすることができる。よって、荒天等の外部環境や車両への取り付け状態にかかわらず、警報器本体１０の内部空間への異物の侵入が防止され確実に動作する警報器１００の提供が可能になった点で好都合である。
【００３０】
以上に本実施形態に基づいて本発明に係る警報器１００について詳細に説明したが、本発明は以上に示した実施形態に限定されるものではない。例えば、本実施形態においては車両用保安部品としての警報器１００として説明しているが、本発明にかかる警報器１００は車両用に限定されるものではなく船舶等にも適用することが可能である。また、本実施形態においては渦巻き型の警報器１００について説明したが、平型警報器やその他の形態の警報器１００に対しても適用可能である。
【００３１】
また、本実施形態においては、ハウジング内空間１９に連通する外部連通孔１８Ｄをコネクタハウジング１８Ｂの側面位置に設けているが、コネクタハウジング１８Ｂの側面位置以外に設けることもできる。警報器１００の車両への取り付け状態等に応じてコネクタハウジング１８Ｂへの外部連通孔１８Ｄの配設位置は適宜変更することができる。
【００３２】
さらに外部連通孔１８Ｄは、コネクタハウジング１８Ｂの外表面に対して傾斜させた状態で穿孔することもできる。このような斜孔に形成された外部連通孔１８Ｄを採用することにより、外部連通孔１８Ｄからのハウジング内空間１９への異物侵入をより確実に防止させることができる点において好都合である。
【００３３】
そして、本実施形態においては、コネクタハウジング１８Ｂに通気路形成用凹部４６の直上位置に通気路形成用凹部４６に沿った切欠部１８Ｃを設け、コネクタハウジング１８Ｂと車両側コネクタ４０との接触面積を削減し、通気路５０に水が侵入した場合における表面張力を軽減させる形態について説明したが、この形態に限定されるものではない。切欠部１８Ｃは通気路形成用凹部４６の直上位置でなくても良い。また、コネクタハウジング１８Ｂへの切欠部１８Ｃの配設を省略することもできる。
【００３４】
また、通気路形成用凹部４６の配設を省略した形態にすれば、警報器側コネクタ１８と車両側コネクタ４０との連結部分における連結方向と直交する方向における断面形状を凹凸のない矩形形状にすることができる。このような形態を採用することによっても、警報器側コネクタ１８と車両側コネクタ４０との連結部分に水が侵入した場合における警報器側コネクタ１８と車両側コネクタ４０と水との表面張力を小さくすることができる。すなわち、警報器側コネクタ１８と車両側コネクタ４０との連結部分に侵入した水を重力の作用によって外部空間に排出させやすくすることができるため好都合である。
【００３５】
また、本実施形態において説明した変形例等を適宜組み合わせた形態を採用することも可能である。
【符号の説明】
【００３６】
１０  警報器本体，
１２  音道，１４  放音部，１６  通気孔，
１８  警報器側コネクタ，
１８Ａ  開口部，１８Ｂ  コネクタハウジング，１８Ｃ  切欠部，１８Ｄ  外部連通孔，１８Ｅ  挿入規制部，
１９  ハウジング内空間，
２０  車両取付用ブラケット，
３０  通電端子，
３２  リベット，３３  リベット挿通孔，３４  平板端子，
４０  車両側コネクタ，
４２  挿入側先端部，４４  バネ状電極，４６  通気路形成用凹部，
５０  通気路，
１００  警報器
【図１】
2020181110.tif 000003
【図２】
2020181110.tif 000004
【図３】
2020181110.tif 000005
【図４】
2020181110.tif 000006